(57)【特許請求の範囲】
【請求項１】
先端の鋭利な針先と略Ｃ字状に曲成されたフトコロ部を有するフック部と、該フック部に連設され基端側に釣り糸もしくは疑似餌が取り付け可能な取付部を有する針本体と、を備えた釣り針であって、
前記針本体の基端側に、蓄光材料及びまたは発光材料により発光可能な発光シートと、光の干渉現象を有する多重ポリマーフィルムとを積層した発光体が取り付けられていることを特徴とする釣り針。
【請求項２】
前記発光体の発光シート及び多重ポリマーフィルムは、前記針本体の基端側に積層状態で巻き付けられると共に、その表面側に前記釣り糸もしくは固定糸が表面に凹凸を有する如く巻き付け固着されていることを特徴とする請求項１に記載の釣り針。
【請求項３】
前記針本体の取付部がリング状に形成され、該取付部に前記疑似餌のアイに連結可能な連結糸が取り付けられていることを特徴とする請求項１に記載の釣り針。
【請求項４】
前記発光シートは、一方の面側からの視認性が高く他方の面側からの透視性に優れたシートで形成されていることを特徴とする請求項１ないし３のいずれかに記載の釣り針。
【請求項５】
前記発光体の外側に、複数本の糸からなる糸状体が取り付けられていることを特徴とする請求項１ないし４のいずれかに記載の釣り針。
【発明の詳細な説明】
【技術分野】
【０００１】
本発明は、川や海で使用される魚釣り用の釣り針に係わり、特に、針本体の基端側に発光体を有して集魚効果を高めることが可能な釣り針に関する。
【背景技術】
【０００２】
従来、本物の餌を使用する釣り針としては、例えば特許文献１に開示されている。この釣り針は、先端に針先を有するフック部と、このフック部に連設されて基端側に糸取付部を有する針本体とを備え、針本体の側面に多数の穴を形成したものである。また、疑似餌としてのルアーに使用する釣り針としては、例えば特許文献２に開示されている。この釣り針は、内部の中空部に発光体が着脱可能に装着されたルアー本体のアイに、フック部と針本体を有する釣り針のリング状の取付部を連結したものである。
【先行技術文献】
【特許文献】
【０００３】
【特許文献１】特開２００７−５３９９７号公報
【特許文献２】特開２００５−２７８５８３号公報
【発明の概要】
【発明が解決しようとする課題】
【０００４】
しかしながら、特許文献１に記載の釣り針においては、針本体に設けた多数の穴により、ミミズ・ジャムシ等の本物の餌が釣り針から外れ難くなるものの、針本体に穴を開ける必要があるため、その作業が極めて面倒で、特に小さい釣り針への適用が困難であると共に、釣り針自体が単に高炭素鋼ワイヤや高炭素ステンレス鋼ワイヤの曲成で形成されており、釣り針自体に集魚効果を得ることができない。また、特許文献２に記載の釣り針においては、ルアー本体の発光体により集魚効果をある程度得られるものの、特許文献１の釣り針と同様に、釣り針がワイヤの曲成で形成されているのみで、釣り針自体に集魚効果を得ることは困難である。
【０００５】
本発明は、このような事情に鑑みてなされたもので、その目的は、ワイヤの曲成で形成された針本体の基端側に発光体を設けることにより、本物の餌でも各種疑似餌でも使用できて、釣り針自体に集魚効果を得ることが可能な釣り針を提供することにある。また、他の目的は、前記目的に加え、発光体に餌の外れ抑え機能を持たせることが可能な釣り針を提供することにある。
【課題を解決するための手段】
【０００６】
かかる目的を達成すべく、本発明のうち請求項１に記載の発明は、先端に鋭利な針先と略Ｃ字状に曲成されたフトコロ部を有するフック部と、該フック部に連設され基端側に釣り糸もしくは疑似餌が取り付け可能な取付部を有する針本体と、を備えた釣り針であって、前記針本体の基端側に、蓄光材料及びまたは発光材料により発光可能な発光シートと、光の干渉現象を有する多重ポリマーフィルムとを積層した発光体が取り付けられていることを特徴とする。
【０００７】
また、請求項２に記載の発明は、前記発光体の発光シート及び多重ポリマーフィルムが、前記針本体の基端側に積層状態で巻き付けられると共に、その表面側に前記釣り糸もしくは固定糸が表面に凹凸を有する如く巻き付け固着されていることを特徴とする。また、請求項３に記載の発明は、前記針本体の取付部がリング状に形成され、該取付部に前記疑似餌のアイに連結可能な連結糸が取り付けられていることを特徴とする。
【０００８】
さらに、請求項４に記載の発明は、前記発光シートが、一方の面側からの視認性が高く他方の面側からの透視性に優れたシートで形成されていることを特徴とする。また、請求項５に記載の発明は、前記発光体の外側に、複数本の糸からなる糸状体が取り付けられていることを特徴とする。
【発明の効果】
【０００９】
本発明のうち請求項１に記載の発明によれば、ワイヤの曲成で形成された針本体の基端側に、蓄光材料及びまたは発光材料により発光可能な発光シートと、光の干渉現象を有する多重ポリマーフィルムとを積層した発光体が取り付けられているため、発光体が昼間はキラキラとフラッシングし、また夜間は発光して目立ち、本物の餌でも本物の餌に似せた疑似餌でも、あるいはルアー等の疑似餌であっても使用できて、釣り針自体に十分な集魚効果を得ることができる。
【００１０】
また、請求項２に記載の発明によれば、請求項１に記載の発明の効果に加え、発光シート及び多重ポリマーフィルムが針本体の基端側に積層状態で巻き付けられると共に、その表面側に釣り糸（ハリス）もしくは固定用テグス等の固定糸が巻き付け固着されているため、発光体の表面側に巻き付け固着された釣り糸や固定糸の表面による凹凸で、本物の餌や本物の餌に似せた疑似餌等の餌の針本体からの外れを抑えることができる。
【００１１】
また、請求項３に記載の発明によれば、請求項１に記載の発明の効果に加え、針本体のリング状に形成された取付部に、疑似餌のアイに連結可能な連結糸が取り付けられているため、ルアー等の疑似餌の釣り針として使用できると共に、連結糸の長さを所定に設定することで、疑似餌を錘として使用しつつつ釣り針の発光体により集魚効果を高めることができる等、ルアーの用途の拡大を図ることができる。
【００１２】
さらに、請求項４に記載の発明によれば、請求項１ないし３に記載の発明の効果に加え、発光シートが、一方の面側からの視認性が高く他方の面側からの透視性に優れたシートで形成されているため、発光シートに十分な蓄光作用が得られると共に、多重ポリマーフィルに光を確実に発光できて、該ポリマーフィルムによる光の干渉現象で集魚効果を一層高めることができる。
【００１３】
また、請求項５に記載の発明によれば、請求項１ないし４に記載の発明の効果に加え、発光体の外側に、複数本の糸からなる糸状体が取り付けられているため、糸状体を発光材で形成することにより、発光体と併せて集魚効果を一層高めることができると共に、糸状体を毛で形成することにより、毛針としても使用できる等、釣り針の汎用性を高めることができる。
【図面の簡単な説明】
【００１４】
【図１】本発明に係わる釣り針の第１の実施形態を示す正面図
【図２】同針本体の糸取付部の側面図
【図３】同図１のＡ−Ａ線矢視図
【図４】同発光体の縦断面図
【図５】同釣り針の製造方法を示す工程図
【図６】同使用状態の説明図
【図７】同糸取付部の変形例を示す側面図及び正面図
【図８】同針本体の変形例を示す要部の半断面図
【図９】同発光体の変形例を示す図１と同様の正面図
【図１０】本発明に係わる釣り針の第２の実施形態を示す正面図
【図１１】同そのＢ−Ｂ線矢視図
【図１２】同発光体の縦断面図
【図１３】同その使用状態の説明図
【図１４】同釣り針の変形例を示す正面図
【発明を実施するための形態】
【００１５】
以下、本発明を実施するための形態を図面に基づいて詳細に説明する。
図１〜図９は、本発明に係わる釣り針の第１の実施形態を示している。この釣り針は、本物の餌もしくは本物の餌に似せた疑似餌を用いて魚を釣るために使用するものである。図１に示すように、釣り針１は、高炭素鋼ワイヤや高炭素ステンレス鋼ワイヤ等のワイヤを略Ｃ字状に曲折することで形成されたフック部２と、このフック部２に連設された針本体３を有している。
【００１６】
前記フック部２は、その針先端に設けられた針先２ａと、この針先２ａの基端側に設けられた返し２ｂと、略Ｃ字状のフトコロ部２ｃによって形成されている。また、前記針本体３の基端側には、図２に示すように、リング状の糸取付部３ａが形成されている。そして、この針本体３の基端側である糸取付部３ａ側には、所定長さＬで所定外径ｄ（図４参照）の発光体４が取り付けられている。
【００１７】
この発光体４は、図３及び図４に示すように、針本体３の外周面に所定回数（１回もしくは複数回）巻き付けられた発光シート５（フィルム、テープ等も含む）と、この発光シート５の表面側に所定回数（１回もしくは複数回）巻き付けられた多重ポリマーフィルム６（シート、テープ等も含む）を有している。そして、多重ポリマーフィルム６の外周面に、ハリスとしての釣り糸７の端部がスパイラル状に巻き付けられて、これらが透明の接着剤８（図４参照）によって固着されている。このとき、釣り糸７はその基端側（図１において上方側）が針本体３の糸取付部３ａに貫通されたり巻き付け固着されて上方に所定長さ引き出されている。この釣り糸７の巻き付けにより、発光体４の外周面に凹凸９（図１及び図４参照）が形成されている。
【００１８】
前記発光シート５は、可撓性を有する透明な樹脂シートに、蓄光材料及びまたは蛍光材料が含有された発光塗料（発光材料）が塗布（印刷）されて、例えば一方の面側（多重ポリマーフィルム６側）からの視認性が高く、他方の面側（針本体３側）からの透視性に優れた透過性で所定の色調を有するシートで形成されている。また、前記多重ポリマーフィルム６は、光学的に光のスペクトルを分離、干渉、反射する分子の配列を有する多重ポリマーフィルム（例えば商品名：オーロラフィルム、マールフィルム等）で形成されて、所定の色調で光の干渉現象を有するようになっている。このとき、発光シート５と多重ポリマーフィルム６は、対象とする魚の種類に応じ、実験等により所定の釣果が得られた色調のものが使用される。さらに、前記釣り糸７としては、透明（もしくは着色された半透明）なテグス等が使用され、前記接着剤８としては透明な瞬間接着剤や透明塗料等が使用される。
【００１９】
このように構成された釣り針１は、図５に示すようにして製造される。すなわち、市販されている釣り針を準備すると共に、略同一幅に切断等された発光シート５と多重ポリマーフィルム６及び所定長さの釣り糸７を準備する。そして、釣り針の針本体３の基端側に発光シート５を巻き付け（Ｋ１）る。このとき、発光シート５はその接着面に塗布された接着剤により基材シート（図示せず）に貼り付け状態とされており、この基材シートから剥がしつつその接着剤を利用して針本体３の外周面に所定回数巻き付けられる。
【００２０】
発光シート５が巻き付けられたら、この発光シート５の外周面側に多重ポリマーフィルム６を巻き付け（Ｋ２）る。この多重ポリマーフィルム６の巻き付けも、発光シート５と同様に、その接着面に塗布されている接着剤を利用して所定回数巻き付けられる。そして、この多重ポリマーフィルム６の外周面に、例えば透明な釣り糸７を巻き付け（Ｋ３）る。この釣り糸７の巻き付けは、所定の張力を持って巻き付けることにより、図４の二点鎖線ａで拡大して示すように、釣り糸７が多重ポリマーフィルム６の外周面に食い込んだ状態となり、多重ポリマーフィルム６及び発光シート５が針本体３の外周面に所定圧で押圧された状態となる。
【００２１】
なお、このときの、釣り糸７の食い込み量は、多重ポリマーフィルム６の硬度等の材質に応じて適宜に設定され、図４の二点鎖線ｂで拡大して示すように、ごく僅か食い込む状態とすることもできるし、釣り糸７の巻回ピッチも発光体４の長さＬや外径ｄ、あるいは釣り針１の形態等に応じて適宜に設定される。
【００２２】
そして、釣り糸７が巻き付けられたら、この釣り糸７の表面側に透明な接着剤８を塗布（Ｋ４）して、釣り糸７を発光体４（多重ポリマーフィルム６）の表面に固着する。これにより、発光体４の表面に釣り糸７による前記凹凸９が形成され、この凹凸９によって後述する如く、餌１０の針本体３からの外れが抑えられることになる。
【００２３】
次に、このように構成された釣り針１の使用方法の一例を図６を参照して説明する。この釣り糸１は、前述したように餌釣り用の釣り針であり、図６に示すように、釣り針１のフック部２と針本体３に、ミミズやジャムシ、ゴカイ等の本物の餌や、あるいはこれらの本物の餌に似せて樹脂により形成された疑似餌等の餌１０が取り付けられる。このとき、餌１０は、針先２ａからフトコロ部２ｃ及び針本体３を通す状態で取り付けられ、餌１０の端部が発光体４の例えば下半分を覆うようにして取り付けられる。
【００２４】
これにより、餌１０の差し込（釣り針１への挿入）方向の先端となる端部が、発光体４の表面の釣り糸７による凹凸９に引っ掛かる状態となり、従来の釣り針に対して、餌１０が釣り針１から外れ難くなる。すなわち、従来のように、単に釣り針がワイヤの曲成で形成されているのみの場合は、餌１０の端部が針本体の滑らかな外周面に沿って矢印イの如く滑り落ち易く、餌１０はフック部先端の返しによってのみ外れが防止される状態となっている。
【００２５】
これに対して、前記釣り針１の場合、餌１０の端部が発光体４の凹凸９に引っ掛かった状態となるため、餌１０の端部が針本体３に沿って矢印イ方向に滑り落ち難くなると同時に、餌１０の先端が返し２ｂに引っ掛かっており、釣り針１からの餌１０の外れが抑えられる。これにより、餌１０の外れによる釣り針１自体の露出部分を極力少なくすることができたり、発光体４により集魚効果が得られて、釣果が高められる。
【００２６】
なお、以上の釣り針１においては、針本体３の糸取付部３ａがリング状である場合について説明したが、例えば図７（ａ）（ｂ）に示すよう、糸取付部３ａがワイヤの潰しにより形成された板状であっても良い。この場合は、発光体４の多重ポリマーフィルム６の外周面に巻き付けられた釣り糸７の先端側を、糸取付部３ａに巻き付けて接着剤で固着すれば良い。また、図８に示すように、針本体３の糸取付部３ａ側の所定位置に切り起こし等による糸位置決め部１１を一体的に設け、この位置決め部１１上に発光体４を取り付けるようにしても良い。この位置決め部１１は、針本体３の外周面の全周であっても良いし、対向位置等の周方向の一部であっても良い。
【００２７】
また、前記説明の釣り針１においては、発光体４の発光シート５と多重ポリマーフィルム６の長さを同一に設定すると共に、この発光体４の長手方向の略全域の外周面に釣り糸７を巻き付けたが、例えば図９に示すように、発光体４の下部の外周面に釣り糸７を巻き付けず、発光体４の下部を露出した状態とすることもできる。この場合、図９の二点鎖線ｃで示すように、露出する部分を発光シート５もしくは多重ポリマーシート６のみとすることも勿論可能である。また、前記説明においては、発光体４（多重ポリマーフィルム６等）の針本体３への固着に釣り糸７（ハリス）の端部を使用したが、この釣り糸７が細い場合等には、釣り糸７を使用することなく、透明もしくは半透明な専用の図示しない固定糸としての固定用テグスを使用することも可能である。この場合は、釣り糸７の端部は、針本体３の糸取付部３ａに巻回固着されることになる。
【００２８】
このように、前記釣り針１によれば、ワイヤの曲成で形成された針本体３の糸取付部３ａ側に、蓄光材料及びまたは発光材料により発光可能な発光シート５と、光の干渉現象を有する多重ポリマーフィルム６とを積層した発光体４が取り付けられているため、発光体４が昼間はキラキラとフラッシングしたり、また夜間は発光して目立つ状態が得られ、釣り針１自体に十分な集魚効果を得ることができる。
【００２９】
特に、発光シート５が、一方の面側からの視認性が高く他方の面側からの透視性に優れたシートで形成されているため、発光シート５に十分な蓄光作用が得られると共に、多重ポリマーフィルム６に光を確実に発光（照射）できて、該ポリマーフィルム６による光の干渉現象で集魚効果を一層高めることができる。つまり、昼間は太陽の光により多重ポリマーフィルムの光の干渉現象により発光体がキラキラとフラッシングし、また、夜間は、発光シートに蓄光された光により多重ポリマーフィルムが光って目立つ状態となって、集魚効果が高められることになる。
【００３０】
また、発光シート５及び多重ポリマーフィルム６が針本体３の糸取付部３ａ側に積層状態で巻き付けられると共に、その表面側に釣り糸７が巻き付け固着されているため、発光体４の表面側に巻き付け固着された釣り糸７の表面の凹凸９により、本物の餌や本物の餌に似せた疑似餌等の餌１０が、ワイヤからなる針本体３の滑らかな外周面を滑り落ち難くなり、フック部２の返し２ｂと併せ、餌１０の釣り針１からの外れを極力抑えることができて、十分な釣果を期待することができる。このとき、釣り糸７が細い場合は、専用の比較的太い固定用テグスを使用して発光体４を針本体３に固着するようにすれば、発光体４の固着状態が安定すると共に、発光体４の表面に確実な凹凸９を形成できて、餌１０の外れをより確実に抑えることができる。
【００３１】
また、釣り針１が、針本体３の糸取付部３ａ側に所定長さＬの発光体４を取り付けることで形成されているため、釣り針１に従来の同様に、本物の餌でも本物の餌に似せた疑似餌等の餌１０でも、その外れを抑えた状態で取り付けることでできて、各種の釣りに使用することができ、汎用性に優れた釣り針１を提供することができる。また、針本体３に発光体４を位置決め可能な位置決め部１１を設けるようにすれば、発光体４の位置ずれを確実に防止して、針本体３の所定位置に発光体４を常に安定した状態で保持することができる。またさらに、発光体４の下部の発光シート５や多重ポリマーフィルム６を露出するようにすれば、この露出部分の光の干渉現象等によって集魚効果をより一層高めることもできる。
【００３２】
図１０〜図１４は、本発明に係わる釣り針の第２の実施形態を示している。以下、前記実施形態と同一部位には、同一符号を付して説明する。この実施形態の釣り針２１は、疑似餌としてのルアー用に使用されるもので、針本体３の基端側にリング状の糸取付部３ａが形成されている。そして、この糸取付部３ａには、蛍光塗料が塗布された樹脂糸等からなる無端状の連結糸２２が取り付けられると共に、針本体３の糸取付部３ａ側に、発光体２３が取り付けられている。
【００３３】
この時の発光体２３は、図１１及び図１２に示すように、針本体３の外周面に複数回巻き付けられた発光シート５と、この発光シート５の外周面に複数回巻き付けらされた多重ポリマーフィルム６を有し、例えば発光体１３の上下部に透明もしくは着色された接着剤８が塗布されることにより、発光体２３が針本体３に取り付けられている。この場合、二点鎖線で示すように、多重ポリマーフィルム６の外周面を固着用としてのみ機能する透明もしくは着色された半透明な釣り糸等からなる前述した固定用テグスと同様の固定糸２４で巻回し、この固定糸２４を接着剤８で固着することにより、発光体２３を針本体３に取り付けるようにしても良い。
【００３４】
そして、この釣り針２１は、図１３に示すようにして使用される。すなわち、釣り針２１の連結糸２２が、小魚の形状に形成されたルアー本体２５の端部である尾部分に設けたアイ２６ｂに連結され、釣り竿の釣り糸２７がルアー本体２５の頭部のアイ２６ａに連結される。これにより、ルアー本体２５の後方に釣り針２１が位置した状態でルアー釣りが行われ、このとき、ルアー本体２５に設けた蛍光塗料等によりルアー本体２５が光ると共に、釣り針２１に設けた発光体２３も光ることになる。この実施形態の場合、連結糸２２を例えば０．５〜３ｍと長く設定し、ルアー本体２５と釣り針２１とが離れた状態として、ルアー本体２３を錘として使用しつつ、ルアー釣りを行うこともできる。
【００３５】
この釣り針２１においても、釣り針２１に設けた発光体２３により集魚効果を高めることができる等、前記実施形態の釣り針１と同様の作用効果を得ることができる。また、連結糸２２を前述したように長く設定することにより、ルアー本体２５を錘として使用できて、ルアー本体２５と釣り針２１の発光体２３の両方により集魚効果を一層高めることができ、釣り針２１の用途を拡大することが可能となる。
【００３６】
この実施形態の場合、釣り針２１のルアー本体２５への取り付け位置は、尾部分に限らず、図１３の二点鎖線で示すように、ルアー本体２５の腹部分に設けたアイ２６ｃに取り付けることも勿論可能である。また、ルアー釣りの場合、釣り針２１の形態は１本針に限らず、図１４（ａ）に示すように、複数針（図では２本針）であっても良い。さらに、図１４（ｂ）に示すように、針本体３に取り付けられる発光体２３の端部に、発光性の各色からなる複数本の樹脂糸からなる針状の糸状体２８の端部を取り付けて、集魚効果をより一層高めることもできる。この糸状体２８は、前記第１の実施形態の釣り針１に適用することもでき、この場合、複数本の毛に似た糸からなる糸状体２８を用いるようにすれば、釣り針１を毛針として使用することができる。
【００３７】
なお、前記各実施形態においては、フック部２に返し２ｂを設けた釣り針について説明したが、本発明に係わる釣り針はこの構成に限定されず、返し２ｂを有さない釣り針にも適用することができる。また、前記各実施形態においては、発光体の長さＬである発光シート５と多重ポリマーフィルム６の幅を同一として、発光体４、２３の長手方向において光の干渉現象が略同一となるようにしたが、例えば魚の種類に応じて釣果の得られ易い色調等の異なる複数の発光シート５や多重ポリマーフィルム６を併設状態で巻き付けて、発光体４、２３の長手方向において異なる発光状態や異なる光の干渉現象を生じさせるように構成することもできる。
【００３８】
また、針本体３に複数層で巻き付けられる発光シート５や多重ポリマーフィルム６も、同一材料の巻き付けにかぎらず、色調等の異なる複数の発光シート５を積層状態で複数巻きとしたり、光干渉現象等の異なる複数の多重ポリマーフィルム６を積層状態で複数巻きとすることもできる。さらに、前記各実施形態における、フック部２の形状や針本体３の長さ等の形状、発光体４、２３の長さＬや外径ｄ等の大きさ、糸取付部３ａの形状等は一例であって、本発明に係わる各発明の要旨を逸脱しない範囲において、適宜に変更することができる。
【産業上の利用可能性】
【００３９】
本発明は、個人が川釣りや海釣りで使用する釣り針に限らず、漁師が使用する釣り針等、魚釣り用の全ての釣り針に利用できる。
【符号の説明】
【００４０】
１・・・・・・・・・釣り針
２・・・・・・・・・フック部
２ａ・・・・・・・・針先
２ｂ・・・・・・・・返し
２ｃ・・・・・・・・フトコロ部
３・・・・・・・・・針本体
３ａ・・・・・・・・糸取付部
４・・・・・・・・・発光体
５・・・・・・・・・発光シート
６・・・・・・・・・多重ポリマーフィルム
７・・・・・・・・・釣り糸
８・・・・・・・・・接着剤
９・・・・・・・・・凹凸
１０・・・・・・・・餌
１１・・・・・・・・位置決め部
２１・・・・・・・・釣り針
２２・・・・・・・・連結糸
２３・・・・・・・・発光体
２４・・・・・・・・固定糸
２５・・・・・・・・ルアー本体
２６ａ〜２６ｃ・・・アイ
２７・・・・・・・・釣り糸
２８・・・・・・・・糸状体
【図１】
0005501016.tif 000002
【図２】
0005501016.tif 000003
【図３】
0005501016.tif 000004
【図４】
0005501016.tif 000005
【図５】
0005501016.tif 000006
【図６】
0005501016.tif 000007
【図７】
0005501016.tif 000008
【図８】
0005501016.tif 000009
【図９】
0005501016.tif 000010
【図１０】
0005501016.tif 000011
【図１１】
0005501016.tif 000012
【図１２】
0005501016.tif 000013
【図１３】
0005501016.tif 000014
【図１４】
0005501016.tif 000015